(57)【特許請求の範囲】
【請求項１】
端部に端子が接続された複数の電線と、保持板に植設された多数の隔壁の間で前記電線の端子を並列的に保持し、前記隔壁の前記保持板に対向する側が開放されているコネクタとをワイヤハーネス製作用の治具板に保持するワイヤハーネス製作用電線保治具であって、
前記治具板に固定される固定部と、
前記固定部に立設された一対の接触部材を有し、前記接触部材の間の空隙で複数の前記電線を一列に挟持する挟持部と、
対向して配置された一対のコネクタ挟持部材を有し、複数の前記電線に接続した前記コネクタを前記コネクタ挟持部材の間の空隙で支持するコネクタ支持部と、
を有し、前記コネクタ挟持部材及び接触部材の空隙が、同一平面の通過を可能にする向きに配置され、前記固定部、挟持部及びコネクタ支持部が、一体的に成形されていることを特徴とするワイヤハーネス製作用電線保治具。
【請求項２】
前記各コネクタ挟持部材のうち少なくとも一方が板状であることを特徴とする請求項１に記載したワイヤハーネス製作用電線保持具。
【請求項３】
前記コネクタ支持部が、前記各端子の開放端部に対面するコネクタ規制部材を有し、前記各端子が前記保持板に沿って前記各隔壁間から突出しないように、前記コネクタ規制部材が規制可能であることを特徴とする請求項１に記載したワイヤハーネス製作用電線保持具。
【請求項４】
前記各コネクタ挟持部材が板状であるとともに、前記コネクタ規制部材が前記各コネクタ挟持部材と一体成形されることにより、前記コネクタ支持部が略コ字状に形成されていることを特徴とする請求項３に記載したワイヤハーネス製作用電線保持具。
【発明の詳細な説明】
【０００１】
【発明の属する技術分野】
本発明はワイヤハーネス製作用電線保持具に関する。
【０００２】
【従来の技術】
従来、ワイヤハーネスを製作するときに電線を保持するための電線保持具として、例えば特開昭8-31247号公報のコネクタ支持具10が提案されている。図７に示すように、このコネクタ支持具10は、平板状のベース11上に複数の電線クランプ12，12・・・が一列に配置されて固定されている。
図８にも示すように、各電線クランプ12，12・・・は、ベース11に取り付けるための固定部13と、この固定部13上に設けられた一対の挟持部材14，14を有している。挟持部材14，14の間には適宜な空隙15が設けられ、その上端部は外側に広がっている。
【０００３】
そして、図９に示すように、電線17，17・・・の端部に端子18，18・・・が取り付けられ、これらの端子18，18・・・がコネクタ19に収納されている場合、ワイヤハーネスを製作するために、電線17，17を配策する際には、電線17，17・・・をコネクタ支持具10の挟持部材14，14の空隙15に上方から挿入して挟持させるようになっている。
【０００４】
【発明が解決しようとする課題】
しかしながら、図９に示したように、従来のコネクタ支持具10は、コネクタ19が、電線17の挿入口20を除いて全面的に閉塞されている場合には問題ないが、コネクタ19の片側面が開いている場合（図３参照）には、電線17の端部に取り付けられている端子18が露出されるため、端子18，18・・・がコネクタ19から外れたり、端子18，18・・・が破損したりする虞れがあった。
【０００５】
本発明は、前述した課題を解決するためになされたものであり、その目的はコネクタの片側面が開いている場合でも、端子がコネクタから外れたり、端子が破損したりするのを防止できるワイヤハーネス製作用電線保持具を提供することにある。
【０００６】
【課題を解決するための手段】
前述した目的を達成するために、本発明は、請求項１に記載したように、端部に端子が接続された複数の電線と、保持板に植設された多数の隔壁の間で前記電線の端子を並列的に保持し、前記隔壁の前記保持板に対向する側が開放されているコネクタとをワイヤハーネス製作用の治具板に保持するワイヤハーネス製作用電線保治具であって、前記治具板に固定される固定部と、前記固定部に立設された一対の接触部材を有し、前記接触部材の間の空隙で複数の前記電線を一列に挟持する挟持部と、対向して配置された一対のコネクタ挟持部材を有し、複数の前記電線に接続した前記コネクタを前記コネクタ挟持部材の間の空隙で支持するコネクタ支持部と、を有し、前記コネクタ挟持部材及び接触部材の空隙が、同一平面の通過を可能にする向きに配置され、前記固定部、挟持部及びコネクタ支持部が、一体的に成形されていることを特徴とする。
【０００７】
本発明においては、電線の端子を収容したコネクタをコネクタ支持部によって挟持することにより、端子がコネクタから脱落したり、端子が破損するのを防止できる。
また、各接触部材間の空隙と、各コネクタ挟持部材間の空隙とが同一平面に沿って配置されているため、コネクタおよび各電線を所定位置に円滑に配置可能とである。
また、挟持部およびコネクタ支持部が一体成形されているため、挟持部およびコネクタ支持部の相対位置を固定でき、コネクタおよび各電線を所定位置に円滑に配置することが可能である。
【０００８】
また、本発明においては、請求項２に記載したように、前記各コネクタ挟持部材のうち少なくとも一方が板状であるため、コネクタにおける端子脱離面が板状のコネクタ挟持部材に接触するようにコネクタを支持させることによって、コネクタからの各端子の脱落を確実に防止できる。
【０００９】
さらに、本発明においては、請求項３に記載したように、前記コネクタ支持部が、前記各端子の開放端部に対面するコネクタ規制部材を有し、前記各端子が前記保持板に沿って前記各隔壁間から突出しないように、前記コネクタ規制部材が規制可能であるため、コネクタ規制部材によって各端子が長手方向に移動してコネクタから突出する方向に脱落するのを確実に防止できる。
【００１０】
そして、本発明においては、請求項４に記載したように、前記各コネクタ挟持部材が板状であるとともに、前記コネクタ規制部材が前記各コネクタ挟持部材と一体成形されることにより、前記コネクタ支持部が略コ字状に形成されているため、強度向上および各コネクタ挟持部材が開くのを防止できる。
【００１３】
【発明の実施の形態】
以下、本発明に係るワイヤハーネス製作用電線保持具の実施の形態について図面に基づいて詳細に説明する。
図１は本発明に係るワイヤハーネス製作用電線保持具の使用状態を示す斜視図、図２は本発明に係るワイヤハーネス製作用電線保持具を示す斜視図、図３は本発明に係るワイヤハーネスを示す斜視図、図４は本発明に係るコネクタを示す斜視図、図５は本発明に係る電線および端子を示す斜視図、図６は本発明に係る別の実施形態のワイヤハーネス製作用電線保持具を示す斜視図である。
【００１４】
図１に示すように、本発明のワイヤハーネス製作用電線保持具５は、端部に端子51が接続された多数の電線52，52・・・を治具板53に沿って配策するとともに、板状の保持板54（図４）に多数の隔壁55，55・・・が区画形成されたコネクタ56により、各端子51，51・・・が保持板54に沿って個別、かつ、平行に保持されたワイヤハーネス57を製作するために用いられる。
【００１５】
このワイヤハーネス製作用電線保持具５は、図１および図２に示すように、略同一平面に沿って隣接配列された各電線52，52・・・の隣接方向に沿って延びるとともに、一対の接触部材58，58が各電線52，52に対して接線接触することにより各電線52，52・・・を径方向に一括して挟持する挟持部59と、各接触部材58，58を支持するとともに治具板53に固定される固定部60とを有している。
【００１６】
更に、このワイヤハーネス製作用電線保持具５は、コネクタ56を支持するコネクタ支持部61を備えている。
コネクタ支持部61は、コネクタ56の保持板54に対して平行、かつ、各端子51，51・・・の隣接方向に沿う一対のコネクタ挟持部材62，62を有している。
【００１７】
次に、前述した各構成要素について説明する。コネクタ56は、図３および図４に示すように、電線52，52・・・の各端子51，51・・・を各別に収納するため、前述のように板状の保持板54に、多数の隔壁55，55・・・が区画形成され、その間にコネクタ51，51・・・を収容する収容空間63，63・・・が形成されている。また、コネクタ56の片側面は開放されており、収容空間63，63・・・に収容された端子51，51・・・の片側面が露出されるようになっている。
【００１８】
電線52の端部に取り付けられた端子51は、図５に示すように、断面が四角形の筒状に形成され、その端部には、電線52の芯線64を保持するカシメ部65が設けられている。
図１および図２に示すように、電線保持具５の固定部60は平板状であり、その板面にボルト孔66が設けられている。
【００１９】
また、挟持部59は、前述のように一対のソリ状の接触部材58，58によって構成されている。これらの接触部材58，58の対向面間には、電線52，52・・・を挟持可能な空隙67が設けられ、その上端部は電線52の挿入を容易にするため外側に開いている。
【００２０】
コネクタ支持部61は、挟持部59の隙間67が設けられた面と対向する側に設けられている。このコネクタ支持部61は、互いに適宜な空隙70をあけて対向配置された一対のコネクタ挟持部材62，62と、これらのコネクタ挟持部材62，62の先端を連結するコネクタ規制部材68とによって、断面略コの字状に形成されている。コネクタ挟持部材62，62とコネクタ規制部材68とは一体成形されている。
【００２１】
また、各コネクタ挟持部材62，62のうち少なくとも一方、本実施形態では両方が板状に形成されているが、一方または両方が棒状であってもよい。
更に、コネクタ規制部材68は、各端子51，51・・・の開放端部69（図５）に対面するべき位置にあり、各端子51，51・・・がコネクタ56の保持板54に沿って各隔壁55，55・・・間から突出しないように規制するようになっている。
【００２２】
更に、挟持部59の各接触部材58，58間の空隙67と、コネクタ支持部61の各コネクタ挟持部材62，62間の空隙70とが同一平面に沿って配置されている。
この電線保持具５を用いてワイヤハーネス57を製作する場合は、図１に示すように、電線52，52・・・を電線保持具５の挟持部59における接触部材58，58間の空隙67に上方から挿入すると共に、コネクタ56を電線保持具５のコネクタ支持部61におけるコネクタ挟持部材62，62間の空隙70に上方から挿入する。これによって、電線52，52・・・が挟持部59で保持されて治具板53に固定される。また、コネクタ56内に収容されている端子51，51・・・の露出されている方の側面が、コネクタ挟持部材62によって遮蔽される。
【００２３】
このように、コネクタ56の片側面が開いており、そのままでは端子51，51・・・の片側面が露出されるが、コネクタ支持部61のコネクタ挟持部材62，62間の空隙70にコネクタ56を挿入することによって、端子51，51・・・のコネクタ56から露出されている片側面がコネクタ挟持部材62によって保護されるので、端子51，51・・・がコネクタ56から外れたり、端子51，51・・・が破損したりするのを防止できる。
【００２４】
また、コネクタ支持部61のコネクタ挟持部材62，62を板状にしたので、コネクタ56における端子脱離面がコネクタ挟持部材62に接触するようにでき、これにより、コネクタ56からの端子51，51・・・の脱落を確実に防止できる。なお、コネクタ56の端子脱離面側に配置される一方のコネクタ挟持部材62のみを板状としても良い。
【００２５】
また、コネクタ支持部61に、コネクタ規制部材68を設けたので、各端子51，51・・・が長手方向に移動してコネクタ56から突出脱落するのを防止できる。
【００２６】
また、コネクタ支持部61におけるコネクタ挟持部材62，62とコネクタ規制部材68とが一体成形されているので、強度向上が可能になるとともに、コネクタ挟持部材62，62が開いてしまうのを防止できる。
【００２７】
また、挟持部59の空隙67と、コネクタ支持部61の空隙70とが同一平面に沿って配置されているので、コネクタ56および各電線52，52・・・を所定の位置に円滑に配置できる。
【００２８】
更に、挟持部59およびコネクタ支持部61が一体成形されているので、挟持部59およびコネクタ支持部61の相対位置を固定できるため、コネクタ56および各電線52，52・・・を所定の位置に円滑に配置できる。
【００２９】
なお、前述の実施形態では、端子51，51・・・をコネクタ56内に収容し、このコネクタ56をコネクタ支持部61に挿入する場合について説明したが、コネクタを設けずに、端子51，51・・・を直接コネクタ支持部61内に挿入するようにもでき、この場合にも端子51，51・・・を保護することができる。
【００３０】
また、前述の実施形態では、コネクタ支持部61が断面略コの字状に形成され、コネクタ56および端子51，51・・・の両側面と先端面とを保護するようになっていたが、図６に示すように、コネクタ71をコネクタ挟持部材72，72によって断面略二の字状として、コネクタ56および端子51，51・・・の両側面のみを保護するようにもできる。
【００３１】
【発明の効果】
以上、説明したように、本発明によれば、請求項１に記載したように、各電線を挟持部によって挟持すると同時に、電線の端子を収容したコネクタをコネクタ支持部によって挟持するので、コネクタの片側面が開いている場合でも、端子の露出されている片側面を保護することができ、これにより端子がコネクタから外れたり、端子が破損したりするのを防止できる。
【００３２】
また、本発明によれば、請求項２に記載したように、各コネクタ挟持部材のうち少なくとも一方が板状であるため、コネクタにおける端子脱離面が板状のコネクタ挟持部材に接触するようにコネクタを支持させることによって、コネクタからの各端子の脱落を確実に防止できる。
【００３３】
さらに、本発明によれば、請求項３に記載したように、各端子が保持板に沿って各隔壁間から突出しないように、コネクタ支持部のコネクタ規制部材が規制可能であるため、コネクタ規制部材によって各端子が長手方向に移動してコネクタから突出する方向に脱落するのを確実に防止できる。
【００３４】
そして、本発明によれば、請求項４に記載したように、各コネクタ挟持部材が板状であるとともに、コネクタ規制部材が各コネクタ挟持部材と一体成形されることにより、コネクタ支持部が略コ字状に形成されているため、強度向上および各コネクタ挟持部材が開くのを防止できる。
【００３５】
また、本発明によれば、請求項５に記載したように、各接触部材間の空隙と、各コネクタ挟持部材間の空隙とが同一平面に沿って配置されているため、コネクタおよび各電線を所定位置に円滑に配置可能となる。
【００３６】
そして、本発明によれば、請求項６に記載したように、挟持部およびコネクタ支持部が一体成形されているため、挟持部およびコネクタ支持部の相対位置を固定できるため、コネクタおよび各電線を所定位置に円滑に配置することが可能となる。
【図面の簡単な説明】
【図１】本発明に係るワイヤハーネス製作用電線保持具の使用状態を示す斜視図である。
【図２】本発明に係るワイヤハーネス製作用電線保持具を示す斜視図である。
【図３】本発明に係る電線とコネクタを示す斜視図である。
【図４】本発明に係るコネクタを示す斜視図である。
【図５】本発明に係る電線および端子を示す斜視図である。
【図６】本発明に係る別の実施形態のワイヤハーネス製作用電線保持具を示す斜視図である。
【図７】従来例に係るコネクタ支持具を示す斜視図である。
【図８】従来例に係るコネクタ支持具の電線クランプを示す斜視図である。
【図９】従来例に係るワイヤハーネスとコネクタを示す斜視図である。
【符号の説明】
５，71  ワイヤハーネス製作用電線保持具
51  端子
52  電線
53  治具板
54  保持板
55  隔壁
56  コネクタ
57  ワイヤハーネス
58  接触部材
59  挟持部
60  固定部
61  コネクタ支持部
62，72  コネクタ挟持部材
67，70  空隙
68  コネクタ規制部材
69  コネクタの開放端部
【図１】
0003999023.tif 000002
【図２】
0003999023.tif 000003
【図３】
0003999023.tif 000004
【図４】
0003999023.tif 000005
【図５】
0003999023.tif 000006
【図６】
0003999023.tif 000007
【図７】
0003999023.tif 000008
【図８】
0003999023.tif 000009
【図９】
0003999023.tif 000010